(57)【要約】【課題】設置状態で前面側に突出するのを抑制でき、かつ消火器収納部のスペースを有効に活用して消火器を収納できる消火栓装置、消火器箱を得る。【解決手段】本発明に係る消火栓装置１は、ホースを収納するホース収納部と該ホース収納部の幅方向片側又は両側に設けられて消火器３を収納する消火器収納部５を有する本体部７と、本体部７の前面に設けられた前面パネル９とを備えた消火栓装置１であって、前記本体部７は、背面が前方に向かって徐々に又は急激に凹陥して段部１１が形成されており、下部の奥行きが上部の奥行きよりも短くなっており、消火器収納部５は、本体部７における奥行きの長い空間に形成されていることを特徴とするものである。【選択図】  図１
2019013318.tif 000002
【特許請求の範囲】
【請求項１】
ホースを収納するホース収納部と該ホース収納部の幅方向片側又は両側に設けられて消火器を収納する消火器収納部を有する本体部と、該本体部の前面に設けられた前面パネルとを備えた消火栓装置であって、
前記本体部は、背面が前方に向かって徐々に又は急激に凹陥して、下部の奥行きが上部の奥行きよりも短くなっており、
該消火器収納部は、前記本体部における奥行きの長い空間に形成されていることを特徴とする消火栓装置。
【請求項２】
消火器を立てた状態で載置して前記消火器収納部に配置するための消火器載置台を備えたことを特徴とする請求項１記載の消火栓装置。
【請求項３】
前記消火器収納部の前面側を開閉可能に覆う消火器扉を有し、該消火器扉は一辺が回動可能に前記本体部に取り付けられた回動式であり、内面側に前記消火器を載置する消火器載置部を有することを特徴とする請求項１記載の消火栓装置。
【請求項４】
前記消火器扉は観音開き式扉であることを特徴とする請求項３記載の消火栓装置。
【請求項５】
前記消火器収納部の下方の空間に端子箱を収納する端子箱収納部を設けたことを特徴とする請求項１乃至４のいずれかに記載の消火栓装置。
【請求項６】
消火器収納部を有する本体部と、該本体部の前面に設けられた前面パネルとを備えた消火器箱であって、
前記本体部は、背面が前方に向かって徐々に又は急激に凹陥しており、下部の奥行きが上部の奥行きよりも短くなっており、
該消火器収納部は、前記本体部における奥行きの長い空間に形成されていることを特徴とする消火器箱。
【請求項７】
消火器を載置する消火器載置台を有し、前記消火器は前記消火器載置台に立てた状態で載置されることを特徴とする請求項６記載の消火器箱。
【請求項８】
前記消火器収納部の前面側を開閉可能に覆う消火器扉を有し、該消火器扉は一辺が回動可能に前記本体部に取り付けられた回動式であり、内面側に前記消火器を載置する消火器載置部を有することを特徴とする請求項６記載の消火器箱。
【発明の詳細な説明】
【技術分野】
【０００１】
本発明は、例えばトンネル等に設置される消火栓装置、消火器箱に関する。
【背景技術】
【０００２】
トンネル等に設置される消火栓装置は、例えば特許文献１に開示されたように、消火栓本体を「トンネル壁面に形成された箱抜き部分」に設置していた。
しかしながら、最近の大口径のトンネルはシールド工法によって構築されることが多く、この場合、トンネルの壁面がトンネルの掘削と同時に鋼製のセグメントで構築されるため、特許文献１に開示されているような箱抜きをすることができない。
【０００３】
そのため、シールドトンネルに消火栓装置を設置する場合、トンネル壁面に取り付けることになるが、この場合、監視員通路から操作ができる高さに取り付けられる。
ところが、シールドトンネルの壁面は、セグメントがむき出しになっており、湾曲した状態になっているため、矩形箱形の筐体を有する消火栓装置をシールドトンネルの壁面に取り付けようとすると、筐体の下部がシールド壁面と干渉して、消火栓装置が監視員通路側に突出せざるを得なくなり、監視員通路の通行の妨げになる。
【０００４】
そこで、本願の出願人は先願である特願２０１７−８３４５９（以下、「先願」という）において、例えばシールドトンネルのようにトンネル壁面が箱抜き出来ないような場合でも、設置状態で前面側に突出するのを抑制できる消火栓装置を得ることを目的として、ホースを収納するホース収納部を有する本体部と、該本体部の前面に設けられた前面パネルとを有する筐体を備え、前記本体部の背面の全体又は所定高さより下の部分が、上方から下方に向かう方向で、かつ背面側から前面側に向かって傾斜する傾斜面部になっていることを特徴とする消火栓装置を提案している。
【先行技術文献】
【特許文献】
【０００５】
【特許文献１】特開２０１５−４４０３９号公報
【発明の概要】
【発明が解決しようとする課題】
【０００６】
一般的な消火栓装置６１は、図１３に示すように、矩形の箱型であり、消火器収納空間の奥行きは高さ方向で同じであるため、消火器６３（図中では消火器の大きさを示している）は消火器収納空間における筺体６５の底部に立てた状態で載置される。
しかしながら、先願で開示した消火栓装置のように本体部の背面の全体又は所定高さより下の部分が傾斜面部になっている場合、本体部内の消火器収納部の空間も下部の奥行きが短くなり、従来載置できた径の消火器を載置することができない。
【０００７】
もっとも、消火器にはその大きさの違い（外径と高さの違い）によって２０型（薬剤６ｋｇ）、１０型（薬剤３ｋｇ）等があるので、先願の消火栓装置であっても径の小さい消火器を消火器収納部の底部に立てた状態で載置することは可能である。しかし、先願のように背面に傾斜面部を形成した場合、消火器収納部の底部は最も奥行きが短い箇所であり、かなり径の小さい消火器に限定され、かつ消火器収納空間の上方の空間が無駄になる。
【０００８】
したがって、先願の消火栓装置のように背面に傾斜面部を形成した場合であっても、消火器収納部の空間を有効に利用して消火器を収納できる消火栓装置の開発が望まれていた。
【０００９】
上記は消火栓装置について説明したが、トンネル等には消火器のみを収納する消火器箱が設定されており、消火器箱の筺体について先願の消火栓装置の筺体と同様の形状を採用した場合には、上記と同様の課題が存在する。
【００１０】
本発明はかかる課題を解決するためになされたものであり、例えばシールドトンネルのようにトンネル壁面が箱抜き出来ないような場合でも、設置状態で前面側に突出するのを抑制でき、かつ消火器収納部のスペースを有効に活用して消火器を収納できる消火栓装置、消火器箱を得ることを目的としている。
【課題を解決するための手段】
【００１１】
上述した先願の消火栓装置のように本体部の背面の全部または所定高さよりも下の部分を傾斜面部にすると、本体部の下部の奥行きが短くなるが、上部は比較的奥行きがある。そこで、消火器６３を底部に立てるのではなく、図１４に示すように、消火器収納空間内で上に持ち上げた状態で収納するようにすれば、高さの制限はあるものの、径の大きめの消火器６３を収納できる。この場合、高さの制限から載置できる消火器６３の径は図１３に示したものよりも小さいため、図１４に示すように、上部の空間にも奥行き方向でＬだけの余裕ができ、この分だけ本体部を薄くすることができる。
また、消火器６３を収容する空間の下方の空間は奥行きが短いが、この空間については奥行きを要しない機器の収納スペースとすれば、さらなる有効活用になるとの着想を得た。
本発明はかかる着想に基づくものであり、具体的には以下の構成からなるものである。
【００１２】
（１）本発明に係る消火栓装置は、ホースを収納するホース収納部と該ホース収納部の幅方向片側又は両側に設けられて消火器を収納する消火器収納部を有する本体部と、該本体部の前面に設けられた前面パネルとを備えた消火栓装置であって、
前記本体部は、背面が前方に向かって徐々に又は急激に凹陥して、下部の奥行きが上部の奥行きよりも短くなっており、
該消火器収納部は、前記本体部における奥行きの長い空間に形成されていることを特徴とするものである。
【００１３】
（２）また、上記（１）に記載のものにおいて、消火器を立てた状態で載置して前記消火器収納部に配置するための消火器載置台を備えたことを特徴とするものである。
【００１４】
（３）また、上記（１）に記載のものにおいて、前記消火器収納部の前面側を開閉可能に覆う消火器扉を有し、該消火器扉は一辺が回動可能に前記本体部に取り付けられた回動式であり、内面側に前記消火器を載置する消火器載置部を有することを特徴とするものである。
【００１５】
（４）また、上記（３）に記載のものにおいて、前記消火器扉は観音開き式扉であることを特徴とするものである。
【００１６】
（５）また、上記（１）乃至（４）のいずれかに記載のものにおいて、前記消火器収納部の下方の空間に端子箱を収納する端子箱収納部を設けたことを特徴とするものである。
【００１７】
（６）本発明に係る消火器箱は、消火器収納部を有する本体部と、該本体部の前面に設けられた前面パネルとを備えた消火器箱であって、
前記本体部は、背面が前方に向かって徐々に又は急激に凹陥しており、下部の奥行きが上部の奥行きよりも短くなっており、
該消火器収納部は、前記本体部における奥行きの長い空間に形成されていることを特徴とするものである。
【００１８】
（７）また、上記（６）に記載のものにおいて、消火器を載置する消火器載置台を有し、前記消火器は前記消火器載置台に立てた状態で載置されることを特徴とするものである。
【００１９】
（８）また、上記（６）に記載のものにおいて、前記消火器収納部の前面側を開閉可能に覆う消火器扉を有し、該消火器扉は一辺が回動可能に前記本体部に取り付けられた回動式であり、内面側に前記消火器を載置する消火器載置部を有することを特徴とするものである。
【発明の効果】
【００２０】
本発明に係る消火栓装置は、ホースを収納するホース収納部と該ホース収納部の幅方向片側又は両側に設けられて消火器を収納する消火器収納部を有する本体部と、該本体部の前面に設けられた前面パネルとを備え、前記本体部は、背面が前方に向かって徐々に又は急激に凹陥して、下部の奥行きが上部の奥行きよりも短くなっており、該消火器収納部は、前記本体部における奥行きの長い空間に形成されていることにより、トンネル壁面に箱抜きしないで取り付けた場合でも、設置状態でトンネル壁面より前面側に突出するのを抑制でき、監視員通路の脇に設置した場合には、監視員通路に要求される通行幅を確保することができ、かつ本体部における空間を消火器収納部として有効に利用できる。
【図面の簡単な説明】
【００２１】
【図１】本発明の実施の形態１に係る消火栓装置の斜視図である。
【図２】図１に示した消火栓装置の側面図である。
【図３】図１に示した消火栓装置の背面側の斜視図である。
【図４】図１に示した消火栓装置の消火器収納部を説明する説明図である（その１）。
【図５】図１に示した消火栓装置の消火器収納部を説明する説明図である（その２）。
【図６】図１に示した消火栓装置の設置状態を説明する斜視図である。
【図７】図１に示した消火栓装置の設置状態を説明する側面図である。
【図８】本発明の実施の形態２に係る消火栓装置の他の態様の背面側の斜視図である。
【図９】図８に示した消火栓装置の消火器収納部を説明する説明図である。
【図１０】本発明の実施の形態３に係る消火栓装置の説明図である。
【図１１】本発明の実施の形態３に係る消火栓装置の他の態様の説明図である（その１）。
【図１２】本発明の実施の形態３に係る消火栓装置の他の態様の説明図である（その２）。
【図１３】発明が解決しようとする課題の説明図である（その１）。
【図１４】発明が解決しようとする課題の説明図である（その２）。
【発明を実施するための形態】
【００２２】
［実施の形態１］
本実施の形態に係る消火栓装置１は、図１〜図７に示すように、例えばシールドトンネル内のトンネル壁面８１（図６参照）に設置されるものであって、ホースを収納するホース収納部（図示なし）とホース収納部の幅方向片側に設けられて消火器３を収納する消火器収納部５とを有する本体部７と、本体部７の前面に設けられた前面パネル９とを備えている。
以下、消火栓装置１を構成する各部について詳細に説明する。
【００２３】
＜本体部＞
本実施の形態における本体部７は、全体形状は、図１〜図３に示すように、奥行きの方向の長さが短い（薄い）略直方体形状をしている。
奥行きの長さを短くしているのは、シールドトンネルのトンネル壁面８１（図７参照）に直接設置した際に、トンネル壁面８１より前方への突出を小さくするためである。
【００２４】
また、本体部７は、図２、図３に示すように、背面の高さ方向の中程よりも少し下の部分が前方に向かって急激に凹陥して段部１１が形成されており、これよりも下部の奥行きが上部の奥行きよりも短くなっている。そして、図４、図５に示すように、消火器収納部５は、本体部７における奥行きの長い空間に形成されており、消火器収納部５よりも下方の奥行きの短い空間には、図４に示すように、端子箱１３を収納する端子箱収納部１５が設けられている。
【００２５】
なお、凹陥させる範囲は、背面の下側の１／２以下にするのが好ましい。
【００２６】
本体部７には、一対の脚部１７ａと、一対の脚部１７ａの上端に亘るように設けられて消火器３を載置する消火器載置面１７ｂとを有する消火器載置台１７が設けられている。消火器載置台１７は、図４に示すように、正面視で下方に向かって開口するコ字状をしており、消火器載置面１７ｂの下方が端子箱収納部１５となっている。消火器載置台１７の脚部１７ａの長さは、消火器載置面１７ｂが段部１１のすぐ上方になるように設定されている（図５参照）。
消火器載置台１７には、本例では１０型の消火器３が４本載置されている。消火器収納部５が本体部７の底面よりも上方に設けられたことで、収納可能な消火器３の高さが低くなったため、従来であれば２０型の消火器を２本収納していたのが、高さの低い１０型を収納するようにしたものである。
なお、消火器を１０型とすると、２０型より胴径が細くなるので、消火栓装置１の奥行きの長さをより短くすることもできる。
【００２７】
本体部７の背面側を凹陥した形状にすることで、シールドトンネルのトンネル壁面８１に壁掛け式で設置するときに、シールドトンネルのトンネル壁面８１との干渉を避けて、消火栓装置１のトンネル壁面８１からの突出をできるだけ小さくすることができる（図６、７参照）。
【００２８】
本体部７の内部には、消火器収納部５の他、内巻きに巻き回されたホースを収納するホース収納部が設けられている。
なお、本体部７の内部に設けられる他の主な部品としては、消火栓弁を操作するための操作レバーや、ホースの先端に設けられた消火ノズルを所定の位置に保持するためのノズルホルダ等がある（図示なし）。操作レバー及びノズルホルダは、後述する筐体の前面扉２３を開放して操作者が操作等できる位置に設ける。
【００２９】
＜前面パネル＞
前面パネル９の外形は、本体部７の開口部よりも大きく設定され、前面パネル９の外周部には、本体部７側に向かって屈曲して、本体部７の開口端の周縁を覆う屈曲片部１９が全周に亘って設けられている。
屈曲片部１９を設けることで、雨水等が本体内部に浸入するのを防止できる。
【００３０】
また、前面パネル９におけるホース収納部の前面側には前面開口部２１が設けられ、前面開口部２１には前面扉２３が設けられている。
また、消火器収納部５の前面側には消火器側前面開口部２５が設けられ、消火器側前面開口部２５にはスライド式の消火器扉２７が設けられている。消火器扉２７をスライド式にすることで、扉開閉時に前方空間への出っ張りを無くすることができる。この点は、特に消火栓装置１を監視員通路８３の壁面に設置する場合において、監視員通路８３への出っ張りを少なくできるので好ましい。
【００３１】
前面扉２３を開扉することで、操作レバーの操作が可能で、かつノズルホルダに保持されている消火ノズルを取り外してホースを引き出すことが可能になっている。
また、消火器扉２７を開扉することで、内部に載置されている消火器３を取り出すことが可能になっている。
【００３２】
なお、前面扉２３や消火器扉２７の開放方式は特定のものに限定されるものではなく、前面扉２３を引戸式や回動式、あるいは消火器扉２７を下降式（シャッター式）や回動式等種々の方式を採用することができる。
また、消火器扉２７は、消火器収納部５の前面のみに設け、下方の端子箱収納部１５の前方に設ける扉と独立したものにしてもよい。
【００３３】
また、前面パネル９には、赤色表示灯２９、非常時を監視員に知らせるための非常ボタン３１、非常ボタン３１を押したときに点灯する非常ランプ３３が設けられている。
【００３４】
次に、上記のように構成された本実施の形態の消火栓装置１の設置方法及び設置状態について図６に基づいて説明する。
消火栓装置１は、図６に示すように、トンネル壁面８１における、車道８５に併設された監視員通路８３上から操作可能な高さ位置に、ブラケット等の取り付け部材によって固定する。本実施の形態の例では、消火栓装置１の底面を支持する底面支持ブラケット３５と、消火栓装置１の背面の上部を支持する背面ブラケット３７によって取り付けられている。
なお、底面支持ブラケット３５及び背面ブラケット３７は、シールドトンネルの壁面側に設けて、消火栓装置１の本体部７を固定してもよいし、消火栓装置１側に設けて、シールドトンネル側に固定するようにしてもよい。
【００３５】
消火栓装置１をトンネル壁面８１に取り付けた状態では、図７に示すように、監視員通路８３とシールドトンネルとの境界部分から消火栓装置１がほとんど突出しない状態に設置することができる。
すなわち、本体部７の下部を凹陥させたことで、シールドトンネルのトンネル壁面８１との干渉を避けて消火栓装置１の監視員通路８３側への突出を小さくすることができ、監視員通路８３に要求される通行幅を確保することができる。
【００３６】
また、消火器収納部５を本体部７の奥行きの長い空間に設け、かつ下方を端子箱収納部１５としたので、本体部７内の空間を有効活用することができる。
【００３７】
［実施の形態２］
実施の形態１は、本発明における本体部７の背面の下側を急激に凹陥させる態様のものであったが、本実施の形態２に係る消火栓装置３９においては、本体部４１の背面の下側を緩やかに凹陥させる態様のものであり、具体的には図８に示すように、背面パネル４１ａの所定高さより下の部分が、上方から下方に向かう方向で、かつ背面側から前面側に向かって傾斜する傾斜面部４３になっている。
本実施の形態では、所定高さは、背面の下側の１／２以下であり、これよりも下の部分が、傾斜面部４３であり、これより上の部分は垂直面になっている。言い換えれば、本体部４１の背面側の上方から所定距離は垂直壁であり、その下方が傾斜面部４３となっている。また、本実施の形態の傾斜面部４３は平面である。平面にすることで、製作が容易であるという効果がある。
【００３８】
本実施の形態における消火器収納部５は、図９に示すように、傾斜面部４３の上方の位置にするのが好ましい。
【００３９】
なお、上記の説明では、本体部４１の背面の下部側の一部を傾斜面部４３にした例を示したが、背面の上端から下端に至る全体を傾斜面部４３にしてもよい。
このようにすることで、設置状態において、シールドトンネルのトンネル壁面８１に沿って設置が可能になる。
【００４０】
全体を傾斜面部４３にした場合には、消火器載置台１７の高さは、載置する消火器３の径との関係で、消火器３の径よりも奥行きが長い位置に消火器載置面１７ｂがくるような高さにすればよい。
【００４１】
また、上記の説明では、傾斜面部４３が平面であったが、シールドトンネルのトンネル壁面８１の湾曲に沿うような湾曲面にしてもよい。
湾曲面とすることで、設置状態でシールドトンネルのトンネル壁面８１との干渉をより効果的に避けることができる。
【００４２】
［実施の形態３］
上記の実施の形態１、２においては、消火器載置台１７を本体部７、４１側に設け消火器３を本体部７側に配置するものであったが、本実施の形態３に係る消火栓装置４５は、図１０に示すように、消火器扉４７を、一辺が回動可能に本体部７に取り付けられた回動式扉とし、この回動式扉の内面側に消火器３を載置する消火器載置部４９を設けたものである。なお、図１０において、実施の形態１、２と同一部分には同一の符号を付してある。
【００４３】
消火器載置部４９は、実施の形態１、２の消火器載置台１７における消火器載置面１７ｂと同様に本体部の奥行きが長くなっている部位に設ける。
なお、図１０に示す例は消火器扉４７が端子箱収納部１５の前面扉を兼ねるものであるが、図１１に示すように、端子箱前面扉５１として消火器扉４７とは別扉にしてもよい。
また、図１２に示すように、消火器扉４７を前面扉２３を挟んで左右両側に設けて、それぞれの消火器扉４７に消火器載置部４９を設けるようにしてもよい。
【００４４】
なお、実施の形態１〜３では、シールドトンネルのトンネル壁面８１に消火栓装置１を設けるものとして説明したが、本発明の消火栓装置１、３９、４５はシールドトンネル以外のトンネル壁面に取り付けることもできる。例えば、シールド工法によらないトンネルの施工方法としては、山岳工法等が挙げられ、この場合、一般的には消火栓装置を埋め込む箱抜きを設けることが多いが、本発明の消火栓装置１、３９、４５であれば、箱抜きを設けなくても設置することができるので、トンネルの施工の手間が省ける。
また、本体部を消火器収納部とホース格納部とを分割して別体とし、施工時に接続するようにしてもよい。そうすることで、本体部がコンパクトになり、輸送、設置が容易となる。このとき、前面パネルは、本体部全体に対して一体ものでもよいし、消火器収納部とホース格納部とそれぞれに取り付けるように別体としてもよい。
【００４５】
また、実施の形態１〜３では、本体部７、４１の下部の奥行きが上部の奥行きよりも短くなっており、奥行きの長い上部に消火器収納部５を設けたものであったが（図５、図９参照）、この場合、前記上部は消火器収納部の部分の奥行きが下部よりも長ければよく、消火器収納部５よりもさらに上方の部分に実施の形態１の段部１１に相当する段部や、実施の形態２の４３に相当する傾斜面部（下方から上方に向かう方向で、かつ背面側から前面側に向かって傾斜する傾斜面部）を設けるようにしてもよい。
【００４６】
上記の実施の形態では、ホースを収納するホース収納部を有する消火栓装置１、３９、４５について説明したが、監視員通路８３には消火栓装置１、３９、４５ではなく、消火器３のみを収容する消火器箱を設置することも考えられ、このような場合には、消火器箱にも上述した消火栓装置１、３９、４５の消火器収納部５の特徴を適用することができる。すなわち、消火器箱を、上述の消火栓装置１、３９、４５と同様に、本体部の背面が前方に向かって徐々に又は急激に凹陥して、下部の奥行きが上部の奥行きよりも短くなっており、消火器収納部は、本体部における奥行きの長い空間に形成する。
また、消火栓装置４５と同様に、消火器箱における消火器扉を、一辺が回動可能に本体部に取り付けられた回動式扉とし、この回動式扉の内面側に消火器を載置する消火器載置部を設けるようにしてもよい。
【００４７】
上記のような消火器箱は、上記の消火栓装置１、３９、４５で述べたのと同様に、消火器箱をトンネル壁面に取り付けた状態で、監視員通路とシールドトンネルとの境界部分から消火器箱がほとんど突出しない状態に設置することができる。
また、消火器収納部を本体部の奥行きの長い空間に設けることで、消火器と本体部の背面との干渉をさけて、径の大きな消火器を収納することができる。
【符号の説明】
【００４８】
＜実施の形態１＞
１  消火栓装置
３  消火器
５  消火器収納部
７  本体部
９  前面パネル
１１  段部
１３  端子箱
１５  端子箱収納部
１７  消火器載置台
１７ａ  脚部
１７ｂ  消火器載置面
１９  屈曲片部
２１  前面開口部
２３  前面扉
２５  消火器側前面開口部
２７  消火器扉
２９  赤色表示灯
３１  非常ボタン
３３  非常ランプ
３５  底面支持ブラケット
３７  背面ブラケット
＜実施の形態２＞
３９  消火栓装置
４１  本体部
４１ａ  背面パネル
４３  傾斜面部
＜実施の形態３＞
４５  消火栓装置
４７  消火器扉
４９  消火器載置部
５１  端子箱前面扉
＜従来例＞
６１  消火栓装置
６３  消火器
６５  筺体
＜監視員通路＞
８１  トンネル壁面
８３  監視員通路
８５  車道
【図１】
2019013318.tif 000003
【図２】
2019013318.tif 000004
【図３】
2019013318.tif 000005
【図４】
2019013318.tif 000006
【図５】
2019013318.tif 000007
【図６】
2019013318.tif 000008
【図７】
2019013318.tif 000009
【図８】
2019013318.tif 000010
【図９】
2019013318.tif 000011
【図１０】
2019013318.tif 000012
【図１１】
2019013318.tif 000013
【図１２】
2019013318.tif 000014
【図１３】
2019013318.tif 000015
【図１４】
2019013318.tif 000016